(57)【要約】【課題】基板に設けられる切替手段や表示手段の状態を容易に識別することができる基板カバー体を提供する。【解決手段】電気部品が配置された基板３０上の少なくとも一部の領域を覆うカバー部４０を有し、基板３０には、動作状態を切替える複数の切替手段３３が配置され、カバー部４０は、透明な板材からなり、切替手段３３を覆うと共に、切替手段３３の近傍に銘板部４２を有し、銘板部４２には切替手段３３によって切替えられる動作状態が表示されている。【選択図】図２
2017099598.tif 000002
【特許請求の範囲】
【請求項１】
電気部品が配置された基板上の少なくとも一部の領域を覆うカバー部を有する基板カバー体において、
前記基板には、動作状態を切替える複数の切替手段が配置され、
前記カバー部は、透明な板材からなり、前記切替手段を覆うと共に、該切替手段の近傍に銘板部を有し、該銘板部には前記切替手段によって切替えられる動作状態が表示されていることを特徴とする基板カバー体。
【請求項２】
前記銘板部には、動作状態を記入できる記入欄が、前記切替手段によって切替えられる動作状態と並設表示されていることを特徴とする請求項１記載の基板カバー体。
【請求項３】
電気部品が配置された基板上の少なくとも一部の領域を覆うカバー部を有する基板カバー体において、
前記基板には、動作状態を表示する複数の表示手段が配置され、
前記カバー部は、透明な板材からなり、前記表示手段を覆うと共に、該表示手段の近傍に銘板部を有し、該銘板部には前記表示手段が表示する動作状態が表示されていることを特徴とする基板カバー体。
【請求項４】
前記カバー部は、スペーサ部材を介して前記基板に固定されていることを特徴とする請求項１〜３のいずれか１項に記載の基板カバー体。
【請求項５】
前記基板には、動作状態を設定する複数の操作手段が配置され、
前記カバー部は前記操作手段を覆い、前記銘板部には前記操作手段が設定する動作状態が表示されていることを特徴とする請求項１〜４のいずれか１項に記載の基板カバー体。
【発明の詳細な説明】
【技術分野】
【０００１】
本発明は、基板上の部品を保護すると共に、部品の機能を表示可能な基板カバー体に関する。
【背景技術】
【０００２】
防災設備、例えばガス消火設備や火災消火設備には、設備を構成する機器を制御し、また、設備の状態を表示する制御盤が設けられる。ガス消火設備においては、火災発生時に防護区画となる部屋の外やその近傍に操作箱が配置されており、この操作箱の起動スイッチを手動操作することで、制御盤が消火ガスの放出制御を行う。
【０００３】
防護区画が複数ある場合、防護区画毎に操作箱が配置される。操作箱の保護扉が開放され、その旨の信号を制御盤が受信すると、制御盤からは、該当スピーカへ音声メッセージが出力される。次に、操作箱の操作スイッチが操作され、その旨の信号を制御盤が受信すると、制御盤は、起動タイマーを動作させ、所定時間経過後には、ガス消火装置を起動させ、消火ガスを防護区画に放出させる。このような制御盤を有するガス消火設備としては、例えば特許文献１に挙げるようなものがある。
【先行技術文献】
【特許文献】
【０００４】
【特許文献１】特開平９−２５３２３３号公報
【発明の概要】
【発明が解決しようとする課題】
【０００５】
防災設備の制御盤の内部には、機器との接続を行う端子などが配置された基板が設けられる。基板には、前述の端子の他、各種動作モードを切替える切替手段としてのディップスイッチや、動作状態を表示する表示手段としてのＬＥＤなどが複数配置される。ディップスイッチなどの基板上の部品を保護するため、基板の表面を覆う基板カバー体が設けられることがある。
【０００６】
ディップスイッチやＬＥＤは、基板上に複数が配置されているだけで、それを見ただけでは、制御盤がどのような動作モードとなっているのか、また、どのような状態であるのかを識別することが難しい。このため、基板上に動作モードの説明などをシルク印刷等で表示することもあるが、基板上にそのための十分なスペースを確保することが難しく、設定や動作状態を紙の資料等で確認する必要があった。
【０００７】
本発明は前記課題を鑑みてなされたものであり、基板に設けられる切替手段や表示手段の状態を容易に識別することができる基板カバー体を提供することを目的とする。
【課題を解決するための手段】
【０００８】
前記課題を解決するため、請求項１の発明に係る基板カバー体は、電気部品が配置された基板上の少なくとも一部の領域を覆うカバー部を有する基板カバー体において、
前記基板には、動作状態を切替える複数の切替手段が配置され、
前記カバー部は、透明な板材からなり、前記切替手段を覆うと共に、該切替手段の近傍に銘板部を有し、該銘板部には前記切替手段によって切替えられる動作状態が表示されていることを特徴として構成されている。
【０００９】
請求項１に係る発明によれば、基板上の電気部品を基板カバー体で保護しつつ、切替手段が示す制御盤の動作状態を、容易に識別することができる。また、基板カバー体は透明であるため、基板上の電気部品の実装状態を容易に認識できる。
【００１０】
また、請求項２の発明に係る基板カバー体は、前記銘板部には、動作状態を記入できる記入欄が、前記切替手段によって切替えられる動作状態と並設表示されていることを特徴として構成されている。
【００１１】
請求項２に係る発明によれば、銘板部に動作状態を記入しておくことができ、設定した動作状態を後から容易に確認することができる。
【００１２】
また、請求項３の発明に係る基板カバー体は、電気部品が配置された基板上の少なくとも一部の領域を覆うカバー部を有する基板カバー体において、
前記基板には、動作状態を表示する複数の表示手段が配置され、
前記カバー部は、透明な板材からなり、前記表示手段を覆うと共に、該表示手段の近傍に銘板部を有し、該銘板部には前記表示手段が表示する動作状態が表示されていることを特徴として構成されている。
【００１３】
請求項３に係る発明によれば、基板上の電気部品を基板カバー体で保護しつつ、表示手段が示す制御盤の動作状態を、容易に識別することができる。また、基板カバー体は透明であるため、基板上の電気部品の実装状態を容易に認識できる。
【００１４】
さらに、請求項４の発明に係る基板カバー体は、前記カバー部は、スペーサ部材を介して前記基板に固定されていることを特徴として構成されている。
【００１５】
請求項４に係る発明によれば、カバー部と基板との間に所定の隙間を設け、基板上に配置された部品をカバー部により保護することができる。
【００１６】
さらにまた、請求項５の発明に係る基板カバー体は、前記基板には、動作状態を設定する複数の操作手段が配置され、
前記カバー部は前記操作手段を覆い、前記銘板部には前記操作手段が設定する動作状態が表示されていることを特徴として構成されている。
【００１７】
請求項５に係る発明によれば、操作手段が示す制御盤の動作状態を、容易に識別することができる。
【発明の効果】
【００１８】
本発明に係る基板カバー体によれば、基板上に配置された切替手段や表示手段その他の実装部品を、カバー部により保護し、不意の操作を防止しつつ、銘板部がそれらの近傍に設けられていることで、制御盤の動作状態を容易に識別でき、メンテナンス性を向上させることができる。
【図面の簡単な説明】
【００１９】
【図１】本実施形態における基板カバー体を有する制御盤が用いられるガス消火設備のブロック図である。
【図２】制御盤内に設けられる基板の正面図である。
【図３】基板の側面図である。
【図４】図２のうち基板の上半分の領域の拡大図である。
【発明を実施するための形態】
【００２０】
本発明の実施形態について、図面に沿って詳細に説明する。図１には、本実施形態における基板カバー体３５を有する制御盤１が用いられるガス消火設備のブロック図を示している。ガス消火設備は、防護区画となる複数の部屋に対し、火災発生時には消火ガスを放出することで、火災を消火するための設備として構成されている。
【００２１】
図１に示すように、ガス消火設備は、制御盤１と、この制御盤１と接続された複数の操作箱２とを有している。制御盤１は、ガス消火制御部２０と、音声報知部２１及び連動制御部２２を有している。操作箱２は、防護区画となる複数の部屋の外にそれぞれ設置される。また、操作箱２の近傍には、消火ガスの放出時に点滅する放出表示灯３と、防護区画内からの避難や消火ガスの放出を報知するスピーカ５が、さらに設けられる。
【００２２】
制御盤１には、消火ガスの放出を検出する圧力スイッチ１０と、消火ガス放出装置を起動させる起動装置１１と、消火ガスの供給を閉止可能な閉止弁の状態を検出する閉検出スイッチ１２とが、接続されている。また、連動制御部２２は、ガス消火設備外の連動システム（図示しない）と接続され、ガス消火設備の動作に連動して連動システムを制御することができる。
【００２３】
図２には、制御盤１内に設けられる基板３０の正面図を示している。この図に示すように、基板３０は方形状に形成されており、多数の端子部３１が並設配置されている。端子部３１には、ガス消火設備を構成する他の機器との接続を行うための配線が接続される。また、基板３０には、制御盤１の様々な動作状態を切替可能な切替手段としての複数のディップスイッチ３３と、制御盤１の動作状態を表示する複数の表示手段としてのＬＥＤ３４と、制御盤１の動作状態を設定可能な回転操作手段としての複数の回転操作部３２とが、配置されている。
【００２４】
ディップスイッチ３３は、８個が１組となっており、基板３０の上半分の領域には、ディップスイッチ３３が３組配置され、基板３０の下半分の領域にも、ディップスイッチ３３が３組配置されている。各ディップスイッチ３３は、ＯＮとＯＦＦを切替可能なスイッチとして構成されており、それぞれに制御盤１における動作状態の切替の機能が割り当てられている。
【００２５】
ＬＥＤ３４は、基板３０の上半分の領域のうち、ディップスイッチ３３の近傍の位置に１２個が並設配置されている。また、それらとは別に、ディップスイッチ３３からやや離れた位置に、３個のＬＥＤ３４が並設配置されている。また、基板３０の下半分の領域のうち、ディップスイッチ３３の近傍の位置にも、ＬＥＤ３４が９個、並設配置され、ディップスイッチ３３からやや離れた位置に、３個のＬＥＤ３４が並設配置されている。各ＬＥＤ３４は、制御盤１の動作状態に応じて、点灯、または消灯していることにより、制御盤１の動作状態を表示することができる。
【００２６】
回転操作部３２は、基板３０の上半分の領域のうち、ディップスイッチ３３の近傍の位置に３つが配置されている。また、基板３０の下半分の領域のうち、ディップスイッチ３３の近傍の位置にも、回転操作部３２が３個、配置されている。各回転操作部３２は、回転操作に伴い、制御盤１の所定の設定値を変化させることができる。本実施形態では、３個の回転操作部３２のうち２個は、起動操作から消火ガス放出までの時間を設定することができ、一方の回転操作部３２により時間の十の位を、他方の回転操作部３２により時間の一の位を、それぞれ設定できる。また、残りの回転操作部３２は、制御盤１に接続される操作箱２の数を設定することができる。
【００２７】
基板３０の表面のうち一部の領域は、透明な基板カバー体３５によって覆われている。基板カバー体３５は、基板３０の表面のうち、端子部３１が配置された領域以外の領域を覆うカバー部４０を有している。カバー部４０は、基板３０に配置されたディップスイッチ３３、ＬＥＤ３４、回転操作部３２を全て覆っている。
【００２８】
図３には、基板３０の側面図を示している。この図において、基板３０に配置された部品は省略している。図３に示すように、カバー部４０は、透明な板状部材からなり、例えばアクリルなどの樹脂材によって形成されている。カバー部４０は、スペーサ部材４１を介して基板３０に固定されており、基板３０の表面とは離隔して対向する。
【００２９】
制御盤１は、工場からの出荷前に初期設定がなされる。その際には、基板カバー体３５はまだ取付けられておらず、ディップスイッチ３３などは露出した状態となっている。この状態で、ディップスイッチ３３や回転操作部３２を操作することで、制御盤１の動作状態の設定が行われる。設定を行ったら、スペーサ部材４１を介してカバー部４０を取付けることで、基板３０上の部品を保護できると共に、ディップスイッチ３３や回転操作部３２が不意に操作されてしまうことを防止できる。
【００３０】
基板カバー体３５のカバー部４０には、ディップスイッチ３３やＬＥＤ３４、回転操作部３２の機能を示した銘板部４２が設けられる。銘板部４２は、例えば紙によって形成され、その裏面はシール部を有しており、カバー部４０の表面に対して貼付される。
【００３１】
図４には、図２のうち基板３０の上半分の領域の拡大図を示している。本実施形態において、基板３０の上半分と下半分は、ほぼ同様の構成を有しているので、以下、図４に表れる基板３０の上半分について説明する。銘板部４２は、基板カバー体３５が基板３０に取付けられた状態において、基板３０上のディップスイッチ３３やＬＥＤ３４、回転操作部３２の近傍位置となるように配置される。
【００３２】
銘板部４２は、ディップスイッチ３３によって切替える動作状態を表示した切替手段表示領域４２ａと、ＬＥＤ３４によって表される動作状態を表示した表示手段表示領域４２ｂと、回転操作部３２によって設定する動作状態を表示した回転操作手段表示領域４２ｃとを有している。
【００３３】
切替手段表示領域４２ａには、横方向に沿ってそれぞれのディップスイッチ３３によって切替える動作状態の説明が記載されている。「ＤＳＷ１」、「ＤＳＷ２」、「ＤＳＷ３」は、それぞれディップスイッチ３３の３つの組をそれぞれ示しており、その下の段の数字は、各組のディップスイッチ３３の番号を示している。「名称」の段には、各ディップスイッチ３３が切替える動作状態の名称が記載され、「ＯＮ」と「ＯＦＦ」の段には、それぞれの状態の説明が記載されている。各組における動作状態の説明は、ディップスイッチ３３の配置順に対応するように並んでおり、ディップスイッチ３３のオンオフ状態との対比により、動作状態を容易に判別することができる。
【００３４】
また、切替手段表示領域４２ａの「ＯＮ」と「ＯＦＦ」の段には、各状態の説明と共に、チェックボックスが設けられている。制御盤１の設定作業時において、ディップスイッチ３３をそれぞれ所定の設定状態としながら、チェックボックスの「ＯＮ」または「ＯＦＦ」のいずれか一方にチェックを記入していくことで、設定作業後に、実際に正しい設定状態となっているかを確認することができる。
【００３５】
表示手段表示領域４２ｂには、各ＬＥＤ３４が表示する動作状態の名称が、縦方向に沿って順番に記載されている。この表示順は、ＬＥＤ３４の並び順と同じとなるように配置されており、ＬＥＤ３４の表示状態との対比により、動作状態を容易に判別することができる。表示手段表示領域４２ｂのうち、上３段は、ディップスイッチ３３からやや離れた位置に配置された３個のＬＥＤ３４に対応し、下１２段は、ディップスイッチ３３の近傍に配置された１２個のＬＥＤ３４に対応する。
【００３６】
回転操作手段表示領域４２ｃには、各回転操作部３２によって設定される動作状態の名称が記載されている。また、各回転操作部３２に対応して、設定値を記入できるようになっている。設定作業時に、設定値を記入しておくことで、設定作業後にどのような設定がなされたかを確認することができる。
【００３７】
このように、基板３０を覆う透明な基板カバー体３５を設け、基板カバー体３５には、切替手段となるディップスイッチ３３や表示手段となるＬＥＤ３４、及び回転操作手段となる回転操作部３２の近傍位置に、各手段が示す動作状態を表示した銘板部４２を設けたことにより、制御盤１の設置場所において、切替手段や表示手段あるいは回転操作手段が示す動作状態について、容易に識別することができ、メンテナンス性を向上させることができる。
【００３８】
以上、本発明の実施形態について説明したが、本発明の適用は本実施形態には限られず、その技術的思想の範囲内において、様々に適用されうる。例えば、ディップスイッチ３３やＬＥＤ３４、回転操作部３２の数や配置は、ガス消火設備の規模や制御盤１の構成によって様々であり、上述の実施形態には限られない。これに伴い、銘板部４２の配置も、切替手段や表示手段、あるいは回転操作手段の近傍に配置されていればよく、上述の配置には限られない。
【００３９】
また、銘板部４２の表示は、切替手段や表示手段、あるいは回転操作手段が示す動作状態に応じて記載されるものであり、制御盤１が上述の実施形態とは異なる動作状態を有しているのであれば、銘板部４２にもそれに応じた記載がなされる。
【００４０】
さらには、本実施形態では、ガス消火設備について説明したが、他の設備、例えばスプリンクラー消火設備の制御盤において、本発明の基板カバー体を適用することもできる。
【符号の説明】
【００４１】
１    制御盤
２    操作箱
３    放出表示灯
５    スピーカ
１０    圧力スイッチ
１１    起動装置
１２    閉検出スイッチ
１３    酸素濃度計
２０    ガス消火制御部
２１    音声報知部
２２    連動制御部
３０    基板
３１    端子部
３２    回転操作部
３３    ディップスイッチ
３４    ＬＥＤ
３５    基板カバー体
４０    カバー部
４１    スペーサ部材
４２    銘板部
４２ａ  切替手段表示領域
４２ｂ  表示手段表示領域
４２ｃ  回転操作手段表示領域
【図１】
2017099598.tif 000003
【図２】
2017099598.tif 000004
【図３】
2017099598.tif 000005
【図４】
2017099598.tif 000006